(57)【要約】      （修正有）【課題】折り畳みナイフの展開を容易にし、かつ片手で操作できるように、折畳みナイフを展開する際に補助力を提供する補助機構を用いたパワーアシスト式折り畳みナイフを提供する。【解決手段】ブレードホルダと、ブレードホルダ内に配置されたブレード１と、ブレードホルダに回転可能に連結されたハンドル３と、ブレードホルダを展開位置及び/又は折り畳み位置にロックするためのロック機構と、ブレードホルダおよびハンドルに接続され、折り畳みナイフを展開する際に、折り畳みナイフの容易な展開を容易にし、片手操作を可能にする、パワーアシスト機構とを含む。ロック機構はパワーアシスト折り畳みナイフの安全な使用を確実にする。【選択図】図４
2020022780.tif 000002
【特許請求の範囲】
【請求項１】
パワーアシスト折り畳みナイフであって、
ブレードホルダと、
ブレードホルダ内に配置されたブレードと、
前記ブレードホルダに回転可能に連結されたハンドルと、
前記ブレードホルダを展開位置及び/又は折り畳み位置にロックするためのロック機構と、を含み、
前記パワーアシスト折り畳みナイフは、
パワーアシスト折り畳みナイフを展開するときに補助力を提供するための、ブレードホルダおよびハンドルに接続された補助機構を含むことを特徴とする、パワーアシスト折り畳みナイフ。
【発明の詳細な説明】
【発明の分野】
【０００１】
本発明はハンドツールに関し、特にパワーアシスト折り畳みナイフに関する。
【従来技術の説明】
【０００２】
折り畳みナイフは、通常、展開するためには2本の手を必要とし、比較的大きな力を必要とする。当業者は、折り畳みナイフの展開を容易にし、片手で操作できるように、補助機構を使用したパワーアシスト式折り畳みナイフを提供するように努めている。
【発明の概要】
【０００３】
本発明の目的は、折り畳みナイフの展開を容易にし、かつ片手で操作できるように、折畳みナイフを展開する際に補助力を提供する補助機構を用いたパワーアシスト式折り畳みナイフを提供することである。パワーアシスト折り畳みナイフには、折り畳みナイフの安全な使用を確実にするために展開位置にブレードホルダをロックするロック機構が設けられている。
【０００４】
本発明は、パワーアシスト折り畳みナイフを提供し、それは、ブレードホルダと、ブレードホルダ内に配置されたブレードと、ブレードホルダに回転可能に連結されたハンドルと、ブレードホルダを展開位置及び/又は折り畳み位置にロックするためのロック機構と、を含み、パワーアシスト折り畳みナイフは、さらに、パワーアシスト折り畳みナイフを展開するときに補助力を提供するための、ブレードホルダおよびハンドルに接続された補助機構を含むことを特徴とする。
【０００５】
さらに、補助機構は鋼線を含む。
【０００６】
さらに、ブレードホルダは、第1の部分と第2の部分とを含み、鋼線は、第1の部分と第2の部分との間に配置される。
【０００７】
さらに、ブレードホルダの第1の部分には、第1の円弧状のスロットが配置され、第1の円弧状のスロットの軸線は第1の回転軸と一致し、第1の回転軸はブレードホルダおよびハンドルの回転軸を参照し、鋼線の第1の端部には、第1の円弧状スロットを貫通しハンドルの開口に埋め込まれた第1の湾曲部が設けられている。
【０００８】
さらに、ブレードホルダの第2の部分の一方側は、ブレード側に面し、スロットが設けられ、鋼線の第2の端部にはスロットに埋め込まれた第2の湾曲部が設けられている。
【０００９】
さらに、パワーアシスト折り畳みナイフの展開過程において、鋼線の弾性力によって発生するトルクにより、鋼線の第2の端部が第1の端部と第1の回転軸と接続線の延長線を通過した後に、ブレードホルダ及びハンドルが展開方向に回転することが可能となり、パワーアシスト折り畳みナイフを展開するための補助力を提供する。
【００１０】
さらに、パワーアシスト折り畳みナイフの折り畳み中に、鋼線の弾性力によって生成されたトルクが、鋼線の第2の端部が第1の端部および第1の回転軸との接続線の延長線を通過した後にブレードホルダ及びハンドルを折り畳み方向に回転させることができ、パワーアシスト折り畳みナイフの自己ロックを実現する。
【００１１】
さらに、ブレードホルダの第1の部分および第2の部分は一体化されている。
【００１２】
さらに、ロック機構はサイドロックまたはバックロックである。
【００１３】
さらに、ブレードホルダのブレード取付部が一体化されている。
【００１４】
さらに、ブレードホルダにはブレード押しピンが設けられている。
【００１５】
さらに、補助機構は、引張りバネまたは加圧バネを含む。
【００１６】
さらに、引っ張りバネまたは加圧バネがハンドル内に配置されている。
【００１７】
さらに、引っ張りバネまたは加圧バネの第1の端部には、第1のヒンジピンが配置され、引っ張りバネまたは加圧バネの第2の端部には、第2のヒンジピンが配置される。
【００１８】
さらに、ハンドルには、第2の円弧状スロットが配置され、第2の円弧状スロットの軸線は第1の回転軸と一致し、第1の回転軸は、ブレードホルダの回転軸とハンドルとを参照し、引っ張りバネの第１のヒンジピンは、第2の円弧状スロットを通過し、ブレードホルダの開口に埋め込まれている。
【００１９】
さらに、第2の円弧状スロットの円弧状開口部は、パワーアシスト式折り畳みナイフのブレードの背面から離れる方向に回転する。
【００２０】
さらに、ハンドルには、第3の円弧状スロットが配置され、第3の円弧状スロットの軸線が第1の回転軸と一致し、第1の回転軸は、ブレードホルダの回転軸とハンドルとを参照し、加圧バネの第１のヒンジピンは、第3円弧状スロットを通過し、ブレードホルダの開口に埋め込まれている。
【００２１】
さらに、第3円弧状スロットの円弧状開口部は、パワーアシスト折り畳みナイフのブレードの後側に向かって回転する。
【００２２】
さらに、引っ張りばねまたは加圧ばねの第2のヒンジピンは、ハンドルの開口に埋め込まれている。
【００２３】
さらに、引っ張りバネまたは加圧バネは、ブレードホルダ内に配置される。
【００２４】
さらに、ロック機構はサイドロックまたはバックロックである。
【００２５】
さらに、アシスト機構は、ねじりバネを備えている。
【００２６】
さらに、ハンドルおよびブレードホルダは、第3のヒンジピンによって回転連結を形成し、ねじりバネは、第3のヒンジピンに覆われる。
【００２７】
さらに、ねじりばねはハンドルの開口に配置される。
【００２８】
さらに、ねじりばねの第1の端部は、ねじりばねの半径方向に沿ってハンドルのスロットに埋め込まれている。
【００２９】
さらに、ねじりバネの第２の端部は、ねじりバネの軸方向と平行な方向にブレードホルダの開口内に埋設されている。
【００３０】
さらに、ねじりバネは、ブレードホルダの開口に配置される。
【００３１】
さらに、ねじりバネの第1の端部は、ねじりバネの軸方向に平行な方向に沿ってハンドルの開口部に埋め込まれている。
【００３２】
さらに、ねじりばねの第2の端部は、ブレードホルダの開口内に固定されている。
【００３３】
さらに、ロック機構は、プッシュボタンと、バネと、プッシュロッドとを備える。
【００３４】
さらに、ばねおよびプッシュロッドはハンドルのスロットに配置される。
【００３５】
さらに、バネの一端はプッシュロッドに覆われている。
【００３６】
さらに、ハンドルを連結するブレードホルダの端部には、第1の凹部と第2の凹部とを有する突出リムが設けられている。
【００３７】
さらに、プッシュロッドは、第1の凹部と協働して、ブレードホルダを折り畳み位置にロックする。
【００３８】
さらに、プッシュロッドは第2の凹部と協働してブレードホルダを展開位置にロックする。
【００３９】
また、プッシュボタンは、第3のヒンジピンから遠ざかる方向に移動し、プッシュロッドを第2の凹部から退避させることができる。
【００４０】
本発明によるパワーアシスト折り畳みナイフは、以下の有利な効果を有する。
【００４１】
（１）折り畳みナイフを展開する際に補助力を提供するための支援機構を適用し、折り畳みナイフの展開を容易にし、片手操作を可能にする。
【００４２】
（２）折り畳まれたナイフを安全に使用するために、展開位置および/または折り畳まれた位置にブレードホルダをロックすることができる。
【図面の簡単な説明】
【００４３】
【図１】本発明の一実施形態におけるパワーアシスト折り畳みナイフの正面図である。
【図２】図１に示すパワーアシスト折り畳みナイフの分解図である。
【図３】折り畳まれた状態の図1に示されるパワーアシスト折り畳みナイフの断面図である。
【図４】展開または折畳みプロセスにおける図1に示したパワーアシスト折り畳みナイフの断面図である。
【図５】展開状態の、図1に示すパワーアシスト折り畳みナイフの断面図である。
【図６】図１に示すパワーアシスト折り畳みナイフの鋼線の接続関係図である。
【図７】図１に示すパワーアシスト折り畳みナイフのブレードホルダの第2の部分の斜視図である。
【図８】折り畳み時にロックトルクを提供する、図１に示すパワーアシスト折り畳みナイフの力解析図である。
【図９】展開時に展開トルクを提供する、図1に示すパワーアシスト折り畳みナイフの力解析図である。
【図１０】折り畳まれた状態の本発明の別の実施形態におけるパワーアシスト折り畳みナイフの断面図である。
【図１１】図１１は、展開または折畳み工程における図10に示すパワーアシスト折り畳みナイフの断面図である。
【図１２】展開状態の図１０に示すパワーアシスト折り畳みナイフの断面図である。
【図１３】折り畳み状態の本発明のさらなる実施形態におけるパワーアシスト折り畳みナイフの断面図である。
【図１４】本発明のさらなる実施形態におけるパワーアシスト折り畳みナイフの正面図である。
【図１５】図１４に示すパワーアシスト折り畳みナイフの上面断面図である。
【図１６】図１４に示すパワーアシスト折り畳みナイフの背面断面図である。
【図１７】ロック機構が折り畳み位置をロックしている、図１４に示すパワーアシスト折り畳みナイフの断面図である。
【図１８】ロック機構が展開位置をロックしている、図１４に示すパワーアシスト折り畳みナイフの断面図である。
【図１９】折り畳まれた状態の本発明のさらなる実施形態におけるパワーアシスト折り畳みナイフの断面図である。
【好ましい実施形態の詳細な説明】
【００４４】
本発明の目的、特徴および効果を十分に理解するために、本発明の概念、詳細な構造および技術的効果を、添付の図面と組み合わせてさらに説明する。
【００４５】
図1〜図9に示すように、本発明の一実施形態におけるパワーアシスト折り畳みナイフは、ブレードホルダ2と、ブレードホルダ2内に配置されたブレード1と、ブレードホルダ2に回転自在に連結されたハンドル3と、ブレードホルダ2を展開位置および/または折り畳み位置にロックするためのロック機構と、を含み、パワーアシスト折り畳みナイフは、さらに、パワーアシスト折り畳みナイフを展開するときに補助力を提供するために、ブレードホルダ2およびハンドル3に接続された補助機構と、を含む。
【００４６】
この実施形態のパワーアシスト折り畳みナイフは、折り畳みナイフを展開する際に補助力を提供する補助機構を使用して、折り畳みナイフの折り畳みを容易にし、片手操作を可能にする。パワーアシスト折り畳みナイフには、パワーアシスト折り畳みナイフの安全な使用を確実にするために、ブレードホルダを展開位置および/または折り畳み位置にロックすることができるロック機構が設けられている。
【００４７】
この実施形態では、ブレードホルダ2は、対向配置された第1の部分21と第2の部分22とを含み、第1の部分21と第2の部分22との間にブレード1が配置されている。
【００４８】
ブレードホルダ2の第1の部分21と第2の部分22とを一体化してもよいし、ブレードを取り付けるためのブレードホルダ2の一部を一体化してもよい。
【００４９】
この実施形態では、ロック機構は、図1、図6に示すようにサイドロック312である。サイドロック312は、一端がハンドル31に接続された弾性リーフである。パワーアシスト折り畳みナイフが展開されているとき、サイドロック312は、ハンドル31の内側に向かってポップアップする。サイドロック312の他端は、ブレードホルダ2がハンドル3に向かって回転することを防止し、ブレードホルダ2を展開位置にロックする。ハンドル31の内側とは、ハンドル31のブレードホルダ2側の面をいう。
【００５０】
パワーアシスト折り畳みナイフを折り畳んでサイドロック312をハンドル31の外側に押すと、ブレードホルダ2はハンドル3に向かって回転することができる。
【００５１】
ロック機構は、バックロックなどの他のロック手段を使用することもできる。ブレードホルダをロックするための構造に関する多くの先行技術があり、本明細書では詳述しない。
【００５２】
補助機構は、弾性部材を含む。
【００５３】
この実施形態では、弾性部材は、ブレードホルダ2の第1の部分21と第2の部分22との間に配置される鋼線である。
【００５４】
図6に示すように、ブレードホルダ2の第1の部分21には、第1の円弧状のスロット211が設けられている。円弧状のスロット211の軸線は、ハンドル3およびブレードホルダ2の回転軸と一致する。図1に示すように、ハンドル3とブレードホルダ2とはヒンジピン5によって回転連結を形成し、ハンドル3とブレードホルダ2の回転軸はヒンジピン5の軸51である。
【００５５】
図7に示すように、ブレードホルダ2の第2の部分22の、ブレードに面する側にスロット221が配置されている。
【００５６】
図6、図7に示すように、弾性部材は鋼線41であり、その第1の端部411には、第1の部分21の第1の円弧状のスロット211を通り、ハンドル３１の開口311に埋め込まれた第1の湾曲部分4111が設けられ、鋼線41の第2の端部412には、第2の部分22のスロット221に埋め込まれた第2の湾曲部分4121が設けられている。
【００５７】
本実施例のパワーアシスト折り畳みナイフは、鋼線41の弾性力によるパワーアシスト機能を実現しており、鋼線41は、一端をハンドル31のアパーチャ311に固定し、他端はブレードホルダ2の第2の部分22にスロット221に沿って自由に移動することができる。
【００５８】
図8に示すように、この実施形態のパワーアシスト折り畳みナイフが折り畳まれているとき、鋼線41の第2の端部412は、ヒンジピン5の軸51の接続線の延長線上を通過し、鋼線41の端部411であり、鋼線41の弾性力は第1の端部411でF1、第2の端部でF2であり、F1とF2は第1の端部411の接続線上にあり、第2の端部412を反対方向に回転させる。
【００５９】
F1の接線方向の成分はF1aであり、それは第1の湾曲部分4111を通ってハンドル3に作用し、図8に示すように、ハンドル3をブレードホルダ2に向かって時計回り方向に回転させるトルクを発生する。
【００６０】
F2の接線方向の成分はF2aであり、それは第2湾曲部4121を介してブレードホルダ2に作用し、ブレードホルダ2をハンドル3に向けて回転させるトルクを図8に示すように反時計方向に発生する。
【００６１】
F1aのトルクにより、ハンドル3がブレードホルダ2に向かって回転することができ、F2aにより発生したトルクにより、ブレードホルダ2がハンドル3に向かって回転すること、すなわち、鋼線の弾性力によって生じたトルクがブレードホルダ2およびハンドル3を折り畳み方向に回転させ、パワーアシスト折り畳みナイフのセルフロックを実現する。
【００６２】
この実施例のパワーアシスト折り畳みナイフが展開されているとき、図1に示すように、ブレード押しピン6を押して、鋼線によって生じる自己ロック力に打ち勝って、ブレードホルダ2を回転させるためのトルクを提供する。
【００６３】
図9に示すように、本実施形態のパワーアシスト折り畳みナイフが展開されているとき、鋼線41の第2の端部412は、ヒンジピン5および鋼線41の第１の端部411の軸線51の接続線の延長線上を通過し、F1aは第1湾曲部4111を通ってハンドル3に作用し、そこで、生成されたトルクは、図9に示すように、反時計方向にハンドルがブレードホルダ2から遠位方向に回転することを可能にする。F2aは第2湾曲部4121を通ってブレードホルダ2に作用し、そこで、生成されたトルクは、図9に示すように、時計方向にブレードホルダ2がハンドル3から遠位方向に回転することを可能にし、その結果、折り畳みナイフを展開する補助力を提供し、すなわち、鋼線の弾性力がパワーアシスト折り畳みナイフを展開するためのトルクを提供する。
【００６４】
図10〜図12に示すように、本発明の別の実施形態におけるパワーアシスト折り畳みナイフは、図1に示す実施形態とは、弾性部材が引っ張りバネ42であり、引っ張りバネ42は、ハンドル3内に配置され、ブレードホルダ内に配置されてもよい。
【００６５】
ハンドル3は、第2の円弧状スロット321を備え、第2の円弧状スロット321の軸は、ハンドル3およびブレードホルダ2の回転軸と一致する。ハンドル3およびブレードホルダ2は、ヒンジピン5によって回転接続を形成し、そこでは、ハンドル3とブレードホルダ2との回転軸がヒンジピン5の軸線である。
【００６６】
引っ張りばね42の第1の端部421には、第2の円弧状スロット321を貫通してブレードホルダ2の開口に埋め込まれた第1のヒンジピンが配置されている。
【００６７】
引っ張りバネ42の第2の端部422には、ハンドル3の開口に埋め込まれた第2のヒンジピンが配置されている。
【００６８】
図10に示すように、パワーアシスト折り畳みナイフは、折り畳まれた状態にあり、引っ張りばね42の第1の端部421は、第2の円弧形スロット321の第2の端部422に対して遠位の位置にあり、引張りばね42は伸長状態、すなわちエネルギー蓄積状態にある。
【００６９】
図1に示す実施形態と同様に、パワーアシスト折り畳みナイフが折り畳まれているとき、第2の端部422は、ヒンジピン5の軸線と第1の端部421との接続線の延長線上を通過し、引っ張りバネ42の弾性力により発生するトルクにより、ブレードホルダ2とハンドル3とが折り畳み方向に回動してセルフロックが実現され、パワーアシスト折り畳みナイフが展開されているとき、第2の端部422は、ヒンジピン5の軸線と第1の端部421との接続線の延長線上を通過し、引っ張りばね42の弾性力によって生成されたトルクがブレード2およびハンドル3を展開方向に回転させて、パワーアシスト折り畳みナイフを展開するための補助力を提供することができる。
【００７０】
この実施形態では、ロック機構はサイドロックを使用し、ブレードホルダ2を展開位置にロックするためにバックロックを使用することもできる。図10に示すように、ブレードホルダ2には、パワーアシスト折り畳みナイフを展開するためのトルクを提供するブレード押しピン6が配置されている。
【００７１】
図13に示されるように、本発明のさらなる実施形態におけるパワーアシスト折り畳みナイフは、図10〜図12に示されるパワーアシスト折り畳みナイフとは異なり、弾性部材は加圧バネ43であり、第3の円弧状スロット331の方向は第2の円弧状スロット321の方向とは異なり、第3の円弧状スロット331の円弧状の開口部はブレードの裏側に回っている。
【００７２】
パワーアシスト折り畳みナイフが折り畳まれているとき、第2の端部432は、ヒンジピン5の軸線と第1の端部431との接続線の延長線上を通過し、圧力ばね43の弾性力によって生成されたトルクは、ブレードホルダ2とハンドル3とを折り畳む方向に回転させてセルフロックを実現し、パワーアシスト折り畳みナイフが展開されているとき、第2の端部432は、ヒンジピン5の軸線と第1の端部431との接続線の延長線上を通過し、圧力ばね43の弾性力によって生成されたトルクが、ブレードホルダ2とハンドル3とを展開方向に回転させて、パワーアシスト折り畳みナイフを展開するための補助力を提供する。
【００７３】
パワーアシスト折り畳みナイフが折り畳まれた状態にあるとき、加圧バネ43の第一端部431は、第三円弧状スロット331の加圧バネ43の第二端部432に近接する位置にあり、加圧バネ43は圧縮状態、すなわちエネルギー蓄積状態にあり、パワーアシスト折り畳みナイフが展開されているときには、加圧バネ43の弾性力によってアシスト力が得られる。
【００７４】
加圧バネ43は、ブレードホルダ内に配置されてもよい。
【００７５】
図14〜図18に示す本発明のさらなる実施形態のパワーアシスト折り畳みナイフは、図1に示す実施形態と異なり、弾性部材は、ハンドル3の開口内に配置されたねじりバネ44である。
【００７６】
ハンドル3とブレードホルダ2は回転連結を形成し、図15,16に示すように、ヒンジピン5の周囲にねじりバネ44が設けられている。ねじりバネ44の第1の端部441は、ねじりバネ44の径方向に沿ってハンドル3に埋め込まれ、ねじりバネ44の第2の端部442は、ねじりバネ44の軸方向と平行な方向に沿ってブレードホルダ2の開口部に埋め込まれている。
【００７７】
本実施形態のように、パワーアシスト折り畳みナイフを折り畳む際に、ねじりバネ44に力を加えて、ねじりバネ44をエネルギー蓄積状態にすることができる。パワーアシスト折り畳みナイフを展開する際には、ねじりバネ44の弾性力によってアシスト力が得られる。
【００７８】
本実施形態のパワーアシスト折り畳みナイフは、プッシュボタン7と、バネ71と、プッシュロッド72とを有するロック機構を備えている。バネ71の一端は、プッシュロッド72の周囲に設けられており、バネ71とプッシュロッド72は図17,18に示すように、ハンドル3のスロット内に配置され、押しボタン7はプッシュロッド72に接続される。
【００７９】
ハンドル3に接続されたブレードホルダ2の端部には、第1の凹部23と第2の凹部24とを含む突出したリムが配置されている。
【００８０】
パワーアシスト折り畳みナイフが折り畳まれた位置にあるとき、プッシュロッド72は第1の凹部23と協働して、図17に示すようにブレードホルダ2を折り畳まれた位置にロックする。パワーアシスト折り畳みナイフを展開して刃押しピン6を押す必要がある場合には、刃押しピン6の付勢力により供給されたトルクによって、プッシュロッド72が第1の凹部23からスライドして動力補助折り畳みナイフを展開することができる。
【００８１】
パワーアシスト折り畳みナイフが展開位置にあるとき、プッシュロッド72は第2の凹部24と協働し、図18に示すようにブレードホルダ2を展開位置にロックする。パワーアシスト折り畳みナイフを折り畳む必要があるときは、プッシュボタン7をバネ71に向けて押し、プッシュロッド72を第2の凹部24から後退させる、その後、パワーアシスト折り畳みナイフを折り畳むことができる。
【００８２】
図19に示すように、本発明のさらなる実施形態におけるパワーアシスト折り畳みナイフは、ねじりバネ44がブレードホルダ2の開口内に配置されている点で、図14に示す実施形態と異なる。
【００８３】
ねじりバネ44の第1の端部441は、ねじりバネ44の軸方向に平行な方向に沿ってハンドル3の開口部に埋め込まれている。
【００８４】
ねじりバネ44の第2の端部442は、ブレードホルダ2の開口に固定されている。
【００８５】
本発明は、アシスト機構を使用するパワーアシスト折り畳みナイフであって、パワーアシスト折り畳みナイフを折り畳む際に補助力を提供し、折り畳みナイフの折り畳みを容易にし、片手操作を可能にする。ブレードホルダは、パワーアシスト折り畳みナイフの安全な使用を確実にするために、展開位置および/または折り畳まれた位置にロックされ得る。
【００８６】
ハンドル内に配置された本発明の様々な補助機構をブレードホルダ内に配置することもできる。
【００８７】
本発明の好ましい実施形態について上記に説明した。当業者は、創造的な作業をすることなく、本発明の概念に基づいて多くの修正および変形を行うことができることを理解されたい。
【００８８】
したがって、論理的分析、控除および限定された実験によって得られた、本発明の概念に従う、当業者によって得られた任意の技術的解決策は、請求項によって規定される保護範囲に入るべきである。
【図１】
2020022780.tif 000003
【図２】
2020022780.tif 000004
【図３】
2020022780.tif 000005
【図４】
2020022780.tif 000006
【図５】
2020022780.tif 000007
【図６】
2020022780.tif 000008
【図７】
2020022780.tif 000009
【図８】
2020022780.tif 000010
【図９】
2020022780.tif 000011
【図１０】
2020022780.tif 000012
【図１１】
2020022780.tif 000013
【図１２】
2020022780.tif 000014
【図１３】
2020022780.tif 000015
【図１４】
2020022780.tif 000016
【図１５】
2020022780.tif 000017
【図１６】
2020022780.tif 000018
【図１７】
2020022780.tif 000019
【図１８】
2020022780.tif 000020
【図１９】
2020022780.tif 000021
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
パワーアシスト折り畳みナイフであって、
ブレードホルダと、
前記ブレードホルダに回転可能に接続されたハンドルと、を含み、
前記ブレードホルダは、前記パワーアシスト折り畳みナイフが折り畳まれたとき、折り畳み方向に前記ハンドルに対して回転し、前記ブレードホルダは前記パワーアシスト折り畳みナイフを展開したとき、開方向に前記ハンドルに対して回転し、
前記ブレードホルダ及び前記ハンドルに接続された補助機構を含み、
前記パワーアシスト折り畳みナイフの展開過程の少なくとも一部で、前記補助機構は、前記開方向に沿ってトルクを生成する、ことを特徴とする、パワーアシスト折り畳みナイフ。
【請求項２】
前記パワーアシスト折り畳みナイフの折り畳み過程の少なくとも一部で、前記補助機構は、折り畳み方向に沿ってトルクを生成することを特徴とする、請求項１に記載のパワーアシスト折り畳みナイフ。
【請求項３】
前記パワーアシスト折り畳みナイフを折り畳み、または展開する過程の間に、前記補助機構によって生成される前記トルクの向きは、前記折り畳み方向と開方向との間で少なくとも１度変化する、ことを特徴とする、請求項１または２に記載のパワーアシスト折り畳みナイフ。
【請求項４】
前記補助機構は、第１の端部と第２の端部とを含み、前記第１の端部が前記ハンドルに接続され、前記第２の端部が前記ブレードホルダに移動可能に連結され、または、前記第２の端部が前記ハンドルに接続され、前記第１の端部が前記ブレードホルダに移動可能に連結され、
前記パワーアシスト折り畳みナイフを展開する過程の間に、前記補助機構によって生成された前記トルクの前記方向が変化した後、前記補助機構によって生成された前記トルクは、前記パワーアシスト折り畳みナイフを展開するように、補助力を提供するために、前記開く方向に沿い、
前記パワーアシスト折り畳みナイフを展開する過程の間に、前記補助機構によって生成された前記トルクの前記方向が変化した後、前記補助機構によって生成された前記トルクは、前記パワーアシスト折り畳みナイフの自己ロックを実現するために、前記折り畳み方向に沿う、ことを特徴とする、請求項３に記載のパワーアシスト折り畳みナイフ。
【請求項５】
前記補助機構は、弾性部材を含むことを特徴とする、請求項４に記載のパワーアシスト折り畳みナイフ。
【請求項６】
前記弾性部材は鋼線であることを特徴とする、請求項５に記載のパワーアシスト折り畳みナイフ。
【請求項７】
前記ブレードホルダは、対向して配置された、第１の部分と第２の部分を含み、前記鋼線が前記第１の部分と前記第２の部分の間に配置され、
前記ブレードホルダの前記第１の部分が第１の円弧状スロットとともに配置され、前記第１の円弧状スロットの軸が第１の回転軸と一致し、前記第１の回転軸は、前記ブレードホルダと前記ハンドルの回転軸を参照し、
前記鋼線の第１の端部には、前記第１の円弧状スロットを通り、前記ハンドルの開口部に埋め込まれた第１の湾曲部が設けられ、
前記第１の部分に対面する、前記ブレードホルダの前記第２の部分の一方側は、スロット共に配置され、前記鋼線の第２の端部には、スロットに埋め込まれた第２の湾曲部が設けられ、
前記第１の湾曲部および前記第２の湾曲部の接続線の延長線を超えて、前記第２の湾曲部が通過したとき、前記鋼線によって生成されたトルクの向きが変化することを特徴とする、請求項６に記載のパワーアシスト折り畳みナイフ。
【請求項８】
前記ブレードホルダの前記第１部分と前記第２の部分は一体化されている、ことを特徴とする、請求項７に記載のパワーアシスト折り畳みナイフ。
【請求項９】
前記弾性部材は引張ばねまたは加圧ばねであることを特徴とする、請求項５に記載のパワーアシスト折り畳みナイフ。
【請求項１０】
前記引張ばねまたは加圧ばねの第１の端部には、第１のヒンジピンが提供され、前記引張ばねまたは加圧ばねの第２の端部には、第２のヒンジピンが提供され、
前記第１のヒンジピンが前記ハンドルに配置された第２の円弧状スロットを通過し、前記ブレードホルダの開口に埋め込まれ、前記第２の円弧状スロットの軸が第１の回転軸に一致し、
前記第１の回転軸は、前記ブレードホルダおよび前記ハンドルの回転軸を参照し、
前記第２のヒンジピンがハンドルの開口に埋め込まれ、
前記第２のヒンジピンが、前記第１のヒンジピンおよび前記第１の回転軸の接続線の延長線を超えて通過した後に、前記引張ばねまたは前記加圧ばねによって生成されたトルクの向きが変更され、
前記補助機構が前記引張ばねを含み、前記第２の円弧状スロットの円弧状開口が、前記ブレードホルダの背面から離れて回転するか、または、前記補助機構が前記加圧ばねを含み、前記第２の円弧状スロットの円弧状開口は、前記ブレードホルダの背面に向かって回転する、ことを特徴とする、請求項９に記載のパワーアシスト折り畳みナイフ。
【請求項１１】
前記パワーアシスト折り畳みナイフは、展開位置、および／または、折り畳み位置に前記ブレードホルダをロックするロック機構をさらに含み、前記ロック機構はサイドロックまたはバックロックである、請求項１に記載のパワーアシスト折り畳みナイフ。
【請求項１２】
前記ブレードホルダは、ブレード押しピンとともに配置され、前記ブレード押しピンを前記補助機構によって生成された開方向に沿うトルクを打ち負かすように、前記折り畳み方向に押す、ことを特徴とする、請求項２に記載のパワーアシスト折り畳みナイフ。
【請求項１３】
前記パワーアシスト折り畳みナイフは、前記ブレードホルダに配置されたブレードをさらに含む、ことを特徴とする、請求項１に記載のパワーアシスト折り畳みナイフ。
【請求項１４】
前記ブレードは、前記ブレードホルダに、交換可能に取付けられる、ことを特徴とする、請求項１３に記載のパワーアシスト折り畳みナイフ。
【請求項１５】
前記ブレードは台形であることを特徴とする、請求項１４に記載のパワーアシスト折り畳みナイフ。
【請求項１６】
前記ブレードホルダのブレード取付部は一体化される、請求項１４に記載のパワーアシスト折り畳みナイフ。